(57)【要約】少なくとも１つの製品を収容するカートン。カートンは、少なくとも部分的にカートンの内側の周囲に延設されている複数のパネルを備える。複数のパネルは、フロントパネルと、バックパネルと、ボトムパネルとを含む。カートンは、複数のパネルのうちの少なくとも１つのパネルに取外し可能に取り付けられた容器を備える。容器は、カートンの内側から食品を取り出した後、その食品を収容するものである。【選択図】図６
2016502483.tif 000002
【特許請求の範囲】
【請求項１】
食品を収容するカートンであって、該カートンは、
少なくとも部分的に該カートンの内側の周囲に延設されている複数のパネルであって、該複数のパネルは、フロントパネルと、バックパネルと、ボトムパネルとを含む、複数のパネルと、
前記複数のパネルのうちの少なくとも１つのパネルに取外し可能に取り付けられた容器であって、該容器は、該カートンの前記内側から前記食品を取り出した後、該食品を収容するものである、容器と、
を備える、カートン。
【請求項２】
前記容器は、引裂線によって前記少なくとも１つのパネルに取外し可能に取り付けられている、請求項１に記載のカートン。
【請求項３】
前記少なくとも１つのパネルは、前記フロントパネルであり、前記引裂線は、前記容器を前記フロントパネルに取外し可能に取り付ける、請求項３に記載のカートン。
【請求項４】
前記引裂線は弧状である、請求項３に記載のカートン。
【請求項５】
前記容器は、前記引裂線によって少なくとも部分的に画定されている容器パネルを含む、請求項１に記載のカートン。
【請求項６】
前記容器パネルは、容器底部部分と、該容器底部部分に折曲げ可能につながっている複数の容器側部部分とを含む、請求項５に記載のカートン。
【請求項７】
前記容器パネルは、複数のガセットパネルを含み、該複数のガセットパネルのそれぞれは、複数の容器側部部分のそれぞれの隣り合う容器側部部分に折曲げ可能につながっている、請求項５に記載のカートン。
【請求項８】
前記複数の容器側部部分は、４つの容器側部部分を含み、前記複数のガセットパネルは、４つのガセットパネルを含む、請求項７に記載のカートン。
【請求項９】
前記容器パネルは略円形である、請求項５に記載のカートン。
【請求項１０】
前記カートンは、前記バックパネルに折曲げ可能につながっている蓋を更に備え、該蓋は、トップパネルと、該トップパネルに折曲げ可能につながっている閉鎖フラップとを含み、前記トップパネルは、前記カートンの前記内側を少なくとも部分的に閉鎖する、請求項５に記載のカートン。
【請求項１１】
前記閉鎖フラップは、前記容器パネルと対面接触する、請求項１０に記載のカートン。
【請求項１２】
前記閉鎖フラップは、湾曲縁を有し、該閉鎖フラップの該湾曲縁は、前記引裂線に対してオフセットして湾曲している関係にある、請求項１１に記載のカートン。
【請求項１３】
前記閉鎖フラップは、貼付留め具を含み、該貼付留め具は、留め具引裂線において前記閉鎖フラップに取外し可能に取り付けられている、請求項１１に記載のカートン。
【請求項１４】
前記貼付留め具は、前記容器パネル及び前記留め具引裂線に接着固定され、前記閉鎖フラップが前記容器パネルから分離される際、前記閉鎖フラップの取付け開口を形成する、請求項１３に記載のカートン。
【請求項１５】
前記カートンは、前記複数のパネルのそれぞれのパネルに折曲げ可能につながっている複数の端部フラップを更に備え、該複数の端部フラップは、前記カートンの側部を少なくとも部分的に閉鎖するように、前記複数のパネルのそれぞれのパネルに折曲げ可能につながっている側方端部フラップを含む、請求項１に記載のカートン。
【請求項１６】
前記側方端部フラップは、第１の側方端部フラップであり、前記側部は、前記カートンの第１の側部であり、前記複数の端部フラップは、前記カートンの第２の側部を少なくとも部分的に閉鎖するように、前記複数のパネルのそれぞれのパネルに折曲げ可能につながっている第２の側方端部フラップを含む、請求項１５に記載のカートン。
【請求項１７】
食品を収容するカートンを形成するためのブランクであって、該ブランクは、
フロントパネルと、バックパネルと、ボトムパネルとを含む複数のパネルと、
前記複数のパネルのうちの少なくとも１つのパネルに取外し可能に取り付けられた容器パネルであって、該容器パネルは、該ブランクから形成した前記カートンの内側から前記食品を取り出した後、該食品を収容する容器を形成するものである、容器パネルと、
を備える、ブランク。
【請求項１８】
前記容器パネルは、引裂線によって前記少なくとも１つのパネルに取外し可能に取り付けられている、請求項１７に記載のブランク。
【請求項１９】
前記少なくとも１つのパネルは、前記フロントパネルであり、前記引裂線は、前記容器パネルを前記フロントパネルに取外し可能に取り付ける、請求項１９に記載のブランク。
【請求項２０】
前記引裂線は弧状である、請求項１９に記載のブランク。
【請求項２１】
前記容器パネルは、容器底部部分と、該容器底部部分に折曲げ可能につながっている複数の容器側部部分とを含む、請求項１９に記載のブランク。
【請求項２２】
前記容器パネルは、複数のガセットパネルを含み、該複数のガセットパネルのそれぞれは、前記複数の容器側部部分のそれぞれの隣り合う容器側部部分に折曲げ可能につながっている、請求項２１に記載のブランク。
【請求項２３】
前記複数の容器側部部分は、４つの容器側部部分を含み、前記複数のガセットパネルは、４つのガセットパネルを含む、請求項２２に記載のブランク。
【請求項２４】
前記容器パネルは略円形である、請求項２１に記載のブランク。
【請求項２５】
前記ブランクは、前記バックパネルに折曲げ可能につながっている蓋を更に備え、該蓋は、トップパネルと、該トップパネルに折曲げ可能につながっている閉鎖フラップとを含み、前記トップパネルは、前記ブランクから形成した前記カートンの前記内側を少なくとも部分的に閉鎖するものである、請求項１９に記載のブランク。
【請求項２６】
前記閉鎖フラップは、湾曲縁を有し、前記閉鎖フラップは、貼付留め具を含み、該貼付留め具は、留め具引裂線において前記閉鎖フラップに取外し可能に取り付けられている、請求項２５に記載のブランク。
【請求項２７】
前記ブランクは、前記複数のパネルのそれぞれのパネルに折曲げ可能につながっている複数の端部フラップを更に含み、該複数の端部フラップは、前記カートンの側部を少なくとも部分的に閉鎖するように、前記複数のパネルのそれぞれのパネルに折曲げ可能につながっている側方端部フラップを含む、請求項１７に記載のブランク。
【請求項２８】
前記側方端部フラップは、第１の側方端部フラップであり、前記側部は、前記カートンの第１の側部であり、前記複数の端部フラップは、前記カートンの第２の側部を少なくとも部分的に閉鎖するように、前記複数のパネルのそれぞれのパネルに折曲げ可能につながっている第２の側方端部フラップを含む、請求項２７に記載のブランク。
【請求項２９】
食品を収容するカートンを形成する方法であって、該方法は、
フロントパネル、バックパネル、及びボトムパネルを含む複数のパネルと、該複数のパネルのうちの少なくとも１つのパネルに取外し可能に取り付けられた容器パネルとを備えるブランクを得るステップと、
前記容器の内側を形成するように前記複数のパネルを配置するステップと、
前記容器の前記内側に少なくとも１つの食品を配置するステップと、
を含む、方法。
【請求項３０】
前記ブランクは、前記バックパネルに折曲げ可能につながっている蓋を更に備え、前記方法は、前記内側を少なくとも部分的に閉鎖するように前記蓋を配置するステップを更に含む、請求項２９に記載の方法。
【請求項３１】
前記内側を少なくとも部分的に開放するように前記蓋を配置するステップと、前記少なくとも１つの食品を取り出すステップとを更に含む、請求項３０に記載の方法。
【請求項３２】
前記容器パネルを分離するステップと、前記容器パネルを容器に形成するステップとを更に含む、請求項３１に記載の方法。
【請求項３３】
前記容器パネルを分離するステップは、前記容器パネルを前記フロントパネルに取外し可能に取り付ける引裂線において、前記容器パネルを引き裂くステップを含む、請求項３２に記載の方法。
【請求項３４】
前記容器パネルは、容器底部部分と、該容器底部部分に折曲げ可能につながっている複数の容器側部部分とを含む、請求項３３に記載の方法。
【請求項３５】
前記容器パネルを前記容器に形成するステップは、前記容器が略ボウル状になるように、前記容器側部部分を前記底部部分に対して上方に配置するステップを含む、請求項３４に記載の方法。
【請求項３６】
前記容器パネルは、複数のガセットパネルを含み、該複数のガセットパネルのそれぞれは、前記複数の容器側部部分のそれぞれの隣り合う容器側部部分に折曲げ可能につながっており、前記容器パネルを前記容器に形成するステップは、それぞれのガセットをそれぞれの側部部分に少なくとも部分的に重ね合わせるステップを含む、請求項３５に記載の方法。
【請求項３７】
前記少なくとも１つの食品を前記容器に配置するステップと、前記食品及び前記容器を加熱するステップとを更に含む、請求項３２に記載の方法。
【発明の詳細な説明】
【技術分野】
【０００１】
本開示は、包括的には、食品又は他の種類の物品を保持するカートンに関する。本開示は、より詳細には、食品又は他の種類の物品を保持する、取外し可能に取り付けられた容器を備えるカートンに関する。
【０００２】
［関連出願の相互参照］
本願は、２０１２年１１月２８日に提出された米国仮特許出願第６１／７９７０９０号の利益を主張する。
【０００３】
［参照による援用］
２０１２年１１月２８日に提出された米国仮特許出願第６１／７９７０９０号の開示は、引用することにより、その全体が本明細書に提示されているかのように本明細書の一部をなす。
【発明の概要】
【０００４】
包括的には、本開示の１つの態様は、少なくとも１つの製品を収容するカートンに関する。カートンは、少なくとも部分的にカートンの内側の周囲に延設されている複数のパネルを備える。複数のパネルは、フロントパネルと、バックパネルと、ボトムパネルとを含む。カートンは、複数のパネルのうちの少なくとも１つのパネルに取外し可能に取り付けられた容器を備える。容器は、カートンの内側から食品を取り出した後、その食品を収容するものである。
【０００５】
別の態様において、本開示は、包括的には、食品を収容するカートンを形成するためのブランクに関する。ブランクは、フロントパネルと、バックパネルと、ボトムパネルとを含む複数のパネルを備える。ブランクは、複数のパネルのうちの少なくとも１つのパネルに取外し可能に取り付けられた容器パネルを備える。容器パネルは、ブランクから形成したカートンの内側から食品を取り出した後、その食品を収容する容器を形成するものである。
【０００６】
別の態様において、本開示は、包括的には、食品を収容するカートンを形成する方法に関する。本方法は、フロントパネル、バックパネル、及びボトムパネルを含む複数のパネルと、複数のパネルのうちの少なくとも１つのパネルに取外し可能に取り付けられた容器パネルとを備えるブランクを得るステップを含む。本方法は、容器の内側を形成するように複数のパネルを配置するステップと、容器の内側に少なくとも１つの食品を配置するステップとを更に含む。
【０００７】
本開示の他の態様、特徴、及び詳細は、図面と併せて以下の詳細な説明を参照することで、また添付の特許請求の範囲から、より完全に理解することができる。
【０００８】
当業者は、添付の図面を参照しながら実施形態の以下の詳細な説明を読むことで、上述した利点及び他の利点、並びに種々の更なる実施形態の利益を理解する。さらに、以下で論じる図面の種々の特徴は、必ずしも縮尺どおりでない。図面における種々の特徴及び要素の寸法は、本開示の実施形態をより明確に例示するために拡大又は縮小されている場合がある。
【図面の簡単な説明】
【０００９】
【図１】本開示の１つの実施形態に係るカートンを形成するためのブランクの外面の平面図である。
【図２】開放形態にあるカートンの斜視図である。
【図３】閉鎖形態にあるカートンの斜視図である。
【図４】再開放形態にあるカートンの斜視図である。
【図５】製品が取り出された、再開放形態にあるカートンの上面図である。
【図６】容器パネルが分離されたカートンの斜視図である。
【図７】容器パネルから形成された容器の斜視図である。
【発明を実施するための形態】
【００１０】
対応する部分は、図面全体を通して対応する参照符号によって示されている。
【００１１】
本開示は、包括的には、種々の製品を保持するのに用いられる、取外し可能に取り付けられた容器を備えるカートン、すなわちパッケージに関する。種々の製品とは、すぐにアクセスして使用できるようにカートン又は容器体内に保持するのに適した、任意の好適な消費者製品等である。そのような製品として、米、豆、及び、乳児、幼児、児童、若しくは成人向けのスナック等の食品、又は任意の他の好適な食品を挙げることができる。カートン及び容器体内に保持することができる他の製品として、塗料、エポキシ樹脂、グラウト、又は任意の他の好適な製品を挙げることができる。同様に、ペットフード、及び犬用おやつ若しくは猫用おやつ等のペット用おやつ、又は任意の他の好適な製品を、カートン又は容器体内に保持することができる。さらに、上述した製品を保持、混合、調理、又は提供するために、取外し可能に取り付けられた容器を用いることができる。
【００１２】
本開示に係るカートンは、多数の異なる形状の物品又は容器体を収容することができる。本開示の範囲を限定するためではなく例示のために、以下の詳細な説明では、カートン実施形態内に少なくとも部分的に配置される食品容器体を記載する。本明細書では、「下側」、「ボトム」、「上側」、「トップ」、「サイド」、「フロント」、及び「バック」という用語は、完全に組み立てられたカートンに関して決まる向きを示す。そのような用語に本開示の範囲を限定する意図はない。
【００１３】
図１は、本開示の第１の例示的な実施形態に係るカートン５（図２及び図３）を形成するのに用いられる、全体として３で示されているブランクの外面１の平面図である。カートン５は、１つ又は複数の容器体、すなわちパッケージＰ（図２に例として示されている）を収容するように用いることができる。この図示の実施形態では、カートン５は、２つの容器体Ｐを対面構成で収容するようなサイズであるが、カートン５は、異なるサイズ及び構成の複数の容器体Ｐを保持するようなサイズ及び形状にしてもよいことが理解される。容器体Ｐは、本開示から逸脱することなく、別様の形状、構成、及び／又は形態にすることができる。例えば、容器体Ｐは、パウチ、缶、プラスチック容器体、又は他の容器体とすることができる。この図示の実施形態では、カートン５は、例えば保管及び輸送中に容器体Ｐを保持することが可能であるコンパートメント８を備える。カートン５は、全体として７で示されている、取外し可能に取り付けられた容器パネルを備える。容器パネル７は、容器体Ｐに入っている食品を保持、調理、又は提供する容器１７０（図７）に形成することができる。さらに、カートン５は、カートン５を再閉鎖することが可能なカートン閉鎖アセンブリを含むことができる。
【００１４】
本開示の例示的な一実施形態によれば、ブランク３は、概ねブランクの長さ方向に延びる縦軸Ｌ１と、概ねブランクの幅方向に延びる横軸Ｌ２とを有する。ブランク３は、バックパネル１５と、横折曲線４３においてバックパネル１５に折曲げ可能につながっているトップパネル４５と、横折曲線２３においてバックパネル１５に折曲げ可能につながっているボトムパネル２５と、横折曲線３３においてボトムパネル２５に折曲げ可能につながっているフロントパネル３５とを備える。トップフラップ８０は、横折曲線４８においてトップパネル４５に折曲げ可能につながっている。ブランク３は、蓋部４９を有し、蓋部４９は、トップパネル４５及びトップフラップ８０を含み、カートン５において蓋５０を形成するものである。
【００１５】
１つの実施形態において、バックパネル１５は、第１の端部フラップ１１及び第２の端部フラップ１２に折曲げ可能につながっている。ボトムパネルは、第１の端部フラップ２１及び第２の端部フラップ２２に折曲げ可能につながっている。フロントパネル３５は、第１の端部フラップ３１及び第２の端部フラップ３２に折曲げ可能につながっている。カートン５が組み立てられると、端部フラップ１１、２１、３１は、カートンの一方の端部１０２を閉鎖し、端部フラップ１２、２２、３２は、カートンの第２の端部１０４を閉鎖する。本開示の代替的な実施形態によれば、カートン５の端部を閉鎖するのに、異なるフラップ構成を用いることができる。
【００１６】
端部フラップ１１、２１、３１は、ブランク３の第１の周辺領域に沿って延設することができ、また、ブランク３の長さの少なくとも一部に沿って延びる第１の縦折曲線１８において、折曲げ可能につなげることができる。端部フラップ１２、２２、３２は、ブランク３の第２の周辺領域に沿って延設することができ、また、同様にブランク３の長さの少なくとも一部に沿って延びる第２の縦折曲線１９において、折曲げ可能につなげることができる。縦折曲線１８、１９は、例えば、略直線状であってもよいし、ブランクの厚さ又は他の要因によって、１つ若しくは複数の場所においてオフセットしてもよい。
【００１７】
図２に示されているように、トップフラップは湾曲縁１１１を有する。１つの実施形態において、トップフラップ８０は、トップフラップ８０に取外し可能に取り付けられた貼付留め具３７を含む。貼付留め具３７は、略円形状であり、トップフラップ８０の中央にあり、引裂線４７（すなわち「留め具引裂線」）によって画定されている。貼付留め具３７は、貼付留め具３７とフロントパネル３５との間に接着剤を塗布することにより、トップフラップ８０をフロントパネル３５に貼付するのに用いることができる。また、貼付留め具３７は、蓋を開放し、それから蓋を再閉鎖した後（例えば、２つのパッケージＰのうちの一方を取り出し、次にカートン５を閉鎖する場合）、蓋５０を閉鎖位置に維持するラッチとして用いることができる。図４に示されているように、蓋５０を開放することで、貼付留め具３７がフラップ８０から分離し、フラップ８０に取付け開口１１２を形成する。貼付留め具３７は、本開示から逸脱することなく別様の形状、構成、配置、及び／又は形態にすることができる。
【００１８】
図１に示されているように、容器パネル７は、引裂線３６に沿ってフロントパネル３５に取外し可能に取り付けられる。１つの実施形態において、引裂線３６は、概して湾曲し、すなわち弧状であり、容器パネルの縁を画定している。さらに、引裂線３６は、例えば、単一の引裂線、複数の分割された引裂線、又は一連の切れ目線とすることができる。容器パネル７は、本開示から逸脱することなく別様の形状、構成、配置、及び／又は形態にすることができる。
【００１９】
この図示の実施形態では、容器パネル７は、略円形であり、遠位部がフロントパネル３５から張り出している。１つの実施形態において、容器パネル７は、複数の容器側部部分、すなわち容器サイドパネル８１、８３、８５、８７を含み、容器サイドパネル８１、８３、８５、８７は、それぞれ折曲線９１、９３、９５、９７に沿って、容器底部部分すなわち容器ボトムパネル８９に折曲げ可能につながっている。パネル８１、８３、８５、８７は、それぞれの折曲線７１、７２、７３、７４、７６、７８、９２、９４によって画定されているガセットパネル８２、８４、８６、８８により隔てられている。１つの実施形態において、容器ボトムパネル８９は、それぞれのガセット８４、８８を形成する折曲線７４、９４間に延びる横折曲線７５を有する。図１に示されているように、折曲線７４、７５、９４は、略同一線上にあり、容器パネル７を横切って延びて、容器ボトムパネル８９をボトムパネル部分８９ａ、８９ｂに分割する。容器パネル７は、本開示から逸脱することなく、別様の形状、構成、配置、及び／又は形態にすることができる。容器５を形成する際、１つの実施形態において、本開示から逸脱することなく、ガセット８２、８４、８６、８８は、容器サイドパネル８１、８３、８５、８７のそれぞれのサイドパネルに糊等の接着剤によって貼付してもよいし、ガセットは、容器を形成するパネルに貼付しなくてもよい。
【００２０】
本開示の１つの例示的な実施形態に係る、ブランク３からカートン５を形成する１つの方法が以下に記載される。１つの例示的な実施形態によれば、ブランク３は、容器パネル７を横折曲線７４、７５、９４に沿って折り曲げることにより、パネル８５、８７、ガセット８６、８８、及びボトムパネル８９の第１の部分８９ａを、パネル８１、８３、ガセット８２、８４、及びボトムパネルの第２の部分８９ｂと対面接触させるように、カートン５を組み立てることができる。次に、バックパネル１５を横折曲線２３に沿って折り曲げ、フロントパネル３５を横折曲線３３に沿って折り曲げる。端部フラップ１１、２１、３１は、コンパートメント８の第１の端部１０２を閉鎖するように重ね合わせることができ、端部フラップ１２、２２、３２は、コンパートメントの第２の端部１０４を閉鎖するように重ね合わせることができる。第１の端部フラップ１１、２１、３１及び第２の端部フラップ１２、２２、３２のうちの１つ又は複数を重ね合わせて、コンパートメント８の閉鎖端部１０２、１０４をシールするように糊等の接着剤によって貼り付け、閉鎖した底部及び側部と開口した頂部とを有するコンパートメント８を形成することができる。
【００２１】
コンパートメント８を形成した場合、蓋５０は、バックパネル１５と、トップパネル４５と、トップフラップ８０とが略同一平面にあるカートン５の開放形態（図２）に対応する開放位置にある。開放形態（図２）では、カートン５は、１つ又は複数の容器体Ｐをコンパートメント８に収納することができる。容器体Ｐをコンパートメント８に配置した後、蓋５０を、カートンの閉鎖形態に対応する閉鎖位置に動かすことができる。閉鎖位置では、トップパネル４５は折曲線４３の回りに折り曲げられており、トップフラップ８０は、折曲線４８の回りに折り曲げられ、容器パネル７に対面接触して配置されている（図３）。１つの実施形態において、トップフラップ８０は、好適な接着剤Ｇ（例えば、糊）の使用によって留め具部分３７を容器パネル７に接着することにより、容器パネル７に貼付することができる。閉鎖位置では、トップフラップの湾曲縁１１１は、湾曲している引裂線３６から離間し、湾曲している引裂線３６に対してオフセットして湾曲している関係で配置される。
【００２２】
１つの実施形態において、カートン５は、上蓋５０の一部（例えば、フラップ８０）を掴み、留め具部分３７を、引裂線４７において引き裂くことによりトップフラップから分離し、トップパネル４５（図３）を上方に折り曲げることにより、開放することができる。蓋５０を開放すると、コンパートメント８及び容器パネル７にアクセスすることができる（図４及び図５）。パッケージＰのうちの１つ又は複数をカートン５から取り出すことができ、容器パネル７を引裂線３６に沿ってフロントパネル３５から分離することができる（図６）。取外し後、サイドパネル８１、８３、８５、８７を折曲線９１、９３、９５、９７に沿ってボトムパネル８９に対して上方に折り曲げることにより、容器パネル７を容器１７０に組み立てることができる。ガセット８２、８４、８６、８８を、ボトムパネル８９から上方に延びているサイドパネル８１、８３、８５、８７と協働するように折曲線７１、７２、７３、７４、７６、７８、９２、９４に沿って折り曲げ、三次元形状を有する容器１７０を形成することができる（図７）。１つの実施形態において、ガセット８２、８４、８６、８８をそれぞれの隣り合うパネル８１、８３、８５、８７に糊付けすることができる。代替的には、ガセット８２、８４、８６、８８をパネル８１、８３、８５、８７に対して接着接合させないことができ、そうすると、ガセットにより容器１７０を拡張させることが可能になる。ガセット８２、８４、８６、８８は、サイドパネル８１、８３、８５、８７の隣り合う端間で折曲げ可能につながっており、それにより、これらのガセットが、比較的長辺のパネル８１、８３、８５、８７間に延びる短辺のパネルを形成する状態で、全体として８辺を有するトレイを構成するように、容器１７０を整えることができる。容器１７０は略ボウル状とすることができる。１つの実施形態において、食品をパッケージＰから取り出して、容器内に配置することができ、食品及び容器を（例えば、電子レンジにおいて）加熱することができる。代替的には、食品をパッケージＰ内で加熱し、次に容器１７０に配置することができる。
【００２３】
本開示から逸脱することなく、カートン５及び容器１７０を他の代替的な形成ステップによって形成することができ、他のステップによって、カートン５をコンパートメント８内の製品にアクセスするように開放することができる。さらに、本開示から逸脱することなく、容器１７０は、他の特徴を有することができ、また別様の形状、構成、及び／又は形態にすることができる。例えば、本開示から逸脱することなく、容器１７０は、３辺を有する三角形状のトレイとすることができる。
【００２４】
概して、ブランクは、通常の紙よりも重く硬質であるような厚さを有する板紙によって構成することができる。ブランクは、カートンが少なくとも概ね上述したように機能することを可能にするのに好適な性質を有する他の材料によって構成することもできる。ブランクは、例えばクレーコートによってコーティングすることができる。次に、クレーコート上に製品、広告、及び他の情報又は画像を印刷してもよい。次に、ブランクに印刷されている情報を保護するように、ブランクをワニスでコーティングすることができる。ブランクの片面又は両面を、例えば防湿層でコーティングすることもできる。ブランクは、選択されたパネル若しくはパネルセクションに１つ若しくは複数のシート状材料を積層又はコーティングすることもできる。
【００２５】
一例として、引裂線は、所望の弱化線に沿って材料に部分的に入れ込んだスリット、及び／又は所望の弱化線に沿って材料に部分的に入れ込むか、及び／又は完全に貫通する一連の離間したスリット、又はこれらの特徴部の種々の組合せを含むことができる。より具体的な例としては、１つの種類の引裂線は、引裂線を挟んで材料を通常は一時的に連結するニック（例えば、ブリッジにやや似た材料の小片）が間に画成されるように隣接するスリットを僅かに離間させた、材料を完全に貫通する一連の離間したスリットの形態である。ニックは、引裂き時に引裂線に沿って破断される。ニックは通常、引裂線において比較的僅かな割合を占めるものであり、代替的に、引裂線が連続した切れ目線であるように、ニックを引裂線から省くことができるか、又は引裂線上で破っておくことができる。すなわち、引裂線のそれぞれを連続したスリット等で置き換えることは、本開示の範囲内にある。例えば、本開示から逸脱することなく、切れ目線は、連続したスリットとすることができるか、又はスリットよりも幅広とすることができる。
【００２６】
例示的な実施形態によれば、折曲線は、それに沿った折曲げを容易にする、必ずしも直線状ではないが実質的に線状の任意の弱化形態とすることができる。本開示の範囲を狭めるためではないが、より詳細には、折曲線は、所望の弱化線に沿って材料に圧潰部分すなわち凹部を作る鈍いスコアリングナイフ等で形成される線等のスコア線、所望の弱化線に沿って材料に部分的に入れ込んだ切れ目、及び／又は所望の弱化線に沿って材料を部分的に貫通する一連の切れ目及び／又は材料を完全に貫通する一連の切れ目、並びにこれらの特徴部の種々の組合せを含む。折曲線を形成するのに切れ目付けが用いられる状況では、通常、切れ目付けは、分別ある使用者が折曲線を誤って引裂線とみなす可能性があるほど過度には深くない。
【００２７】
上述の実施形態は、カートン実施形態の組立て中に糊によってともに接着される、１つ又は複数のパネルを備えるように記載されている場合がある。「糊」という用語は、カートンパネルを適所に固定するのに一般に用いるあらゆる種類の接着剤を含むことを意図する。
【００２８】
本開示の以上の説明は、種々の例示的な実施形態を図示及び記載している。種々の追加、変更、変形等を、本開示の精神及び範囲から逸脱することなく例示的な実施形態に対して行うことができる。上記の説明に含まれるか又は添付図面に示されている全ての事項は、限定的ではなく、例示として解釈されることが意図される。さらに、本開示は、本開示の選択された実施形態のみを図示及び記載しているが、本開示は、種々の他の組合せ、変更、及び状況における使用が可能であり、本明細書で述べた本発明の概念の範囲内の変形若しくは変更、上記教示と均等な変形若しくは変更、及び／又は関連分野の技術又は知識内の変形若しくは変更が可能である。さらに、各実施形態の或る特定の特徴及び特性は、本開示の他の図示又は不図示の実施形態に選択的に交換及び適用することができる。
【図１】
2016502483.tif 000003
【図２】
2016502483.tif 000004
【図３】
2016502483.tif 000005
【図４】
2016502483.tif 000006
【図５】
2016502483.tif 000007
【図６】
2016502483.tif 000008
【図７】
2016502483.tif 000009
【国際調査報告】
2016502483.tif 000010
2016502483.tif 000011